(57)【要約】【課題】  装飾体を載置する基台に収納室を形成し、この収納室にＣＤ、ＦＤ等の記録媒体を収納できるようにした装飾ケースを提供する。【解決手段】  装飾ケース１は、装飾体５を載置する基台２と装飾体５を覆うカバー体３とからなる。基台２には、収納室１０内の記録媒体７を弾性部材１２によって収納口１１側に押し出す押出部材１３と、記録媒体７を弾性部材１２の弾性に抗して収納室１０内に収納した時に、弾性部材１２の弾性を蓄えた状態で押出部材１３を保持する保持部材１５と、この保持部材１５の保持状態を解除する解除部材１６が設けられている。【選択図】        図１
2004243135.tif 000002
【特許請求の範囲】
【請求項１】
下記の要件を備えたことを特徴とする装飾ケース。
（イ）基台と、基台の上部に取り付けられるカバー体とからなること。
（ロ）基台は、装飾体を載置する載置部が形成されていること。
（ハ）カバー体は、透過性を有する素材で形成され、基台の載置部に載置された装飾体を覆うように構成されていること。
（ニ）基台には、記録媒体を収納する収納室が形成されていること。
【請求項２】
下記の要件を備えたことを特徴とする請求項１記載の装飾ケース。
（イ）収納室は、記録媒体を略水平に収納するように形成され、基台の側面に形成された収納口と連通するように構成されていること。
（ロ）基台には、収納室内の記録媒体を弾性部材によって収納口側に押し出す押出部材と、記録媒体を弾性部材の弾性に抗して収納室内に収納した時に、弾性部材の弾性を蓄えた状態で押出部材を保持する保持部材と、この保持部材の保持状態を解除する解除部材が設けられていること。
【請求項３】
下記の要件を備えたことを特徴とする請求項１記載の装飾ケース。
（イ）基台は、上半体と下半体とからなること。
（ロ）上半体と下半体は、一端でヒンジ連結され、他端が開閉するようになっていること。
（ハ）上半体と下半体の一方又は両方には収納凹部が形成され、上半体と下半体が接合することによって収納凹部が収納室を構成するようになっていること。
（ニ）下半体又は上半体には、記録媒体を弾性で固定する弾性爪が突設されていること。
【請求項４】
収納室は、記録媒体を収容する収容ケースを収納することができるように構成されていることを特徴とする請求項１、２又は３記載の装飾ケース。
【発明の詳細な説明】
【技術分野】
【０００１】
本発明は、装飾体を収容する装飾ケースに関するものである。
【背景技術】
【０００２】
従来、人形等の装飾体を収容する装飾ケースは、装飾体を載置する矩形状の基台と、この基台の上部に取り付けられる箱状のカバー体とからなっていた。このカバー体は、透明なガラス、プラスチック板等の透過性を有する素材によって形成され、基台上に載置された装飾体を見ることができるようになっていた。
【発明の開示】
【発明が解決しようとする課題】
【０００３】
従来の装飾ケースは、カバー体を通して基台上に載置された装飾体をみることができ、室内の装飾品として用いられていたが、記録媒体等の収納物を収納する収納室を備えたものは存在しなかった。
【０００４】
本願発明は、従来の装飾ケースを改良したものであって、装飾体を載置する基台に収納室を形成し、この収納室にＣＤ、ＦＤ等の記録媒体を収納できるようにした装飾ケースを提供することを目的とする。
【課題を解決するための手段】
【０００５】
請求項１記載の発明に係る装飾ケースは、上記目的を達成するため、下記の手段を有する。
（イ）基台と、基台の上部に取り付けられるカバー体とからなること。
（ロ）基台は、装飾体を載置する載置部が形成されていること。
（ハ）カバー体は、透過性を有する素材で形成され、基台の載置部に載置された装飾体を覆うように構成されていること。
（ニ）基台には、記録媒体を収納する収納室が形成されていること。
【０００６】
請求項２記載の発明に係る装飾ケースは、上記目的を達成するため、上記手段に加え、下記の手段を有する。
（イ）収納室は、記録媒体を略水平に収納するように形成され、基台の側面に形成された収納口と連通するように構成されていること。
（ロ）基台には、収納室内の記録媒体を弾性部材によって収納口側に押し出す押出部材と、記録媒体を弾性部材の弾性に抗して収納室内に収納した時に、弾性部材の弾性を蓄えた状態で押出部材を保持する保持部材と、この保持部材の保持状態を解除する解除部材が設けられていること。
【０００７】
請求項３記載の発明に係る装飾ケースは、上記目的を達成するため、上記手段に加え、下記の手段を有する。
（イ）基台は、上半体と下半体とからなること。
（ロ）上半体と下半体は、一端でヒンジ連結され、他端が開閉するようになっていること。
（ハ）上半体と下半体の一方又は両方には収納凹部が形成され、上半体と下半体が接合することによって収納凹部が収納室を構成するようになっていること。
（ニ）下半体又は上半体には、記録媒体を弾性で固定する弾性爪が突設されていること。
【０００８】
請求項４記載の発明に係る装飾ケースは、上記目的を達成するため、上記収納室が、記
録媒体を収容する収容ケースを収納することができるように構成されている。
【発明の効果】
【０００９】
以上説明してきたように、請求項１記載の装飾ケースは、基台に記録媒体を収納する収納室が形成されているので、装飾品及び収納ケースとして機能し、意外性があり、興趣あるものにすることができるという効果がある。また、薄い記録媒体を収容するので、基台を厚くする必要がなく、全体のバランスを損なうことがないという効果がある。また、装飾体に関連する内容を記録した記録媒体を収納することによって、より面白い物にすることができる。例えば、装飾体が歌手の人形である場合、記録媒体にその歌手の歌を収録しておけば、より宣伝効果の高い商品にすることができるという効果がある。
【００１０】
請求項２記載の装飾ケースは、上記効果に加え、収納口から記録媒体を略水平に差し込んで収納することができ、解除部材を操作することによって記録媒体を取り出すことができるので、片手で簡単に記録媒体を出し入れすることができるという効果がある。
【００１１】
請求項３記載の装飾ケースは、上記効果に加え、構造が簡単で安価に製造することができるという効果がある。
【００１２】
請求項４記載の装飾ケースは、上記効果に加え、記録媒体を収容する収容ケースごと収納することができるので、記録媒体を収容ケースから外さずに収納することができるという効果がある。
【発明を実施するための最良の形態】
【００１３】
以下、本発明の第１の実施の形態を図面を用いて説明する。図１は、本発明に係る装飾ケースの第１の実施の形態を示す全体斜視図である。図２は、図１の使用状態を示す斜視図である。
【００１４】
装飾ケース１は、基台２と、基台２の上部に取り付けられるカバー体３とからなる。基台２は、装飾体５を載置する載置部６が形成されている。カバー体３は、透過性を有する素材で形成され、基台２の載置部６に載置された装飾体５を覆うように構成されている。基台２には、記録媒体７を収納する収納室１０が形成されている。
【００１５】
基台２は、矩形体状に形成され、上面２ｂ周縁に段凹部２ａが形成されている。カバー体３は、透明なプラスチック板によって、下端が開放された矩形箱状に形成され、基台２の段凹部２ａに下端開放部３ａが嵌合して、基台２に着脱自在に取り付けられている。
【００１６】
基台２は、上面２ｂが装飾体５を載置する載置部６を形成する。装飾体５は、人形、動物形状等に形成され、載置部６に固定して取り付けられている。この固定は、接着剤、両面テープ、ネジ、係合突起と係合穴の係合等によって行われるが、特にこれらに限定されるものではない。
【００１７】
記録媒体７は、ＣＤ（コンパクトディスク）、ＦＤ（フロッピーディスク）、ＭＤ（ミニディスク）等であって、プラスチックで形成された公知の収容ケース９に収容されている。
【００１８】
収納室１０は、記録媒体７を収容する収容ケース９を収納することができるように構成されている。収納室１０は、記録媒体７を略水平に収納するように形成され、基台２の側面に形成された収納口１１と連通するように構成されている。
【００１９】
基台２には、収納室１０内の記録媒体７を弾性部材１２によって収納口１１側に押し出
す押出部材１３と、記録媒体７を弾性部材１２の弾性に抗して収納室１０内に収納した時に、弾性部材１２の弾性を蓄えた状態で押出部材１３を保持する保持部材１５と、この保持部材１５の保持状態を解除する解除部材１６が設けられている。
【００２０】
さらに具体的に説明する。収納室１０は、記録媒体７を収容する収容ケース９を収納口１１から収納することができるように矩形穴状に形成されている。収納室１０内には、収容ケース９をガイドするガイド板１７が設けられている。さらに、収納室１０には、収納口１１と反対側の位置に、収納室１０内の収容ケース９を弾性部材１２によって収納口１１側に押し出す略Ｌ字状の押出部材１３が摺動自在に設けられている。弾性部材１２は、バネ等によって形成され、収納室１０の奥に設けられている。
【００２１】
押出部材１３は、収容ケース９を押し出す押出杆１９と、ガイド板１７に設けられたガイド突起２１によってガイドされるガイド杆２０からなっている。また、収納室１０内には、収納ケース９を弾性部材１２の弾性に抗して収納室１０内に収納した時に、弾性部材１２の弾性を蓄えた状態で押出部材１３のガイド杆２０の先端２２に係合してこの状態を保持する保持部材１５が支軸２３により回動自在に設けられている。
【００２２】
保持部材１５は、バネ等の弾性部材２５によって、押出部材１３のガイド杆２０側に付勢されており、収容ケース９を弾性部材１２の弾性に抗して収納室１０に収納した時に、弾性部材１２の弾性を蓄えた状態で押出部材１３のガイド杆２０の先端２２に保持部材１５の先端２６が係合する。
【００２３】
保持部材１５には、基台２の収納口１１側の側面開口２９から先端２７が突出する解除部材１６が設けられている。本実施の形態では、保持部材１５と解除部材１６が一体的に形成されているが、これらを別個に形成し、例えば保持部材１５を弾性部材２５の反弾性方向に押圧する押しボタン形状の解除部材を設けても構わない。
【００２４】
装飾ケース１は、上記構成を有し、記録媒体７を収容する収容ケース９を収納口１１から収納すると、収容ケース９が押出部材１３の押出杆１９に当接し、さらに収容ケース９を押し込んで完全に収納室１０内に挿入すると、押出部材１３の押出杆１９が弾性部材１２の弾性に抗して反弾性方向に移動する。押出部材１３は、これのガイド杆２０の先端２２に保持部材１５の先端２６が係合し、弾性部材１２の弾性が蓄えられた状態で保持される。
【００２５】
収容ケース９を取り出すときは、開口２９から突出している解除部材１６の先端２７を操作する。保持部材１５が弾性部材２５の弾性に抗して反弾性方向に回転し、保持部材１５の先端２６が押出部材１３の先端２２から外れ、押出部材１３の保持状態が解除される。そのため、押出部材１３は、弾性部材１２によって収容ケース９を収納口１１から押し出し、収容ケース９を取り出すことができる。
【００２６】
以下、本発明の第２の実施の形態を図面を用いて説明する。図３は、本発明に係る装飾ケースの第２の実施の形態を示す全体斜視図である。図４は、図３の分解斜視図である。
【００２７】
装飾ケース３１は、基台３２と、基台３２の上部に取り付けられるカバー体３３とからなる。基台３２は、装飾体３５を載置する載置部３６が形成されている。カバー体３３は、透過性を有する素材で形成され、基台３２の載置部３６に載置された装飾体３５を覆うように構成されている。基台３２には、記録媒体３７を収納する収納室４０が形成されている。
【００２８】
基台３２は、円盤状に形成され、上面３２ｂ周縁に段凹部３２ａが形成されている。カ
バー体３３は、透明なプラスチック板によって、下端が開放された円筒状に形成され、基台３２の段凹部３２ａに下端開放部３３ａが嵌合して、基台３２に着脱自在に取り付けられている。
【００２９】
基台３２は、上面３２ｂが装飾体３５を載置する載置部３６を形成する。装飾体３５は、人形、動物形状等に形成され、載置部３６に固定して取り付けられている。この固定は、接着剤、両面テープ、ネジ、係合突起と係合穴の係合等によって行われるが、特にこれらに限定されるものではない。
【００３０】
記録媒体３７は、ＣＤ（コンパクトディスク）、ＦＤ（フロッピーディスク）、ＭＤ（ミニディスク）等である。
【００３１】
収納室４０は、記録媒体３７を収容することができるように構成されている。収納室４０は、記録媒体３７を略水平に収納するように形成され、基台３２の側面に形成された収納口４１と連通するように構成されている。
【００３２】
基台３２には、収納室４０内の記録媒体３７を弾性部材４２によって収納口４１側に押し出す押出部材４３と、記録媒体３７を弾性部材４２の弾性に抗して収納室４０内に収納した時に、弾性部材４２の弾性を蓄えた状態で押出部材４３を保持する保持部材４５と、この保持部材４５の保持状態を解除する解除部材４６が設けられている。
【００３３】
さらに具体的に説明する。基台３２は、上半体５０と下半体５１とからなり、上半体５０と下半体５１が接合され、ネジ等により一体的に組み立てられて構成されている。収納室４０は、上半体５０の接合面５３に形成された円形の凹部５５と、下半体５１の接合面５６に形成された円形の凹部５７が重ね合わされて形成されている。
【００３４】
収納室４０は、記録媒体３７を収納口４１から収納することができるように矩形穴状に形成されている。さらに、収納室４０には、収納口４１と反対側の位置に、収納室４０内の記録媒体３７を弾性部材４２によって収納口４１側に押し出す押出部材４３が摺動自在に設けられている。弾性部材４２は、バネ等によって形成され、収納室４０の奥に設けられている。
【００３５】
押出部材４３は、下半体５１の後部に形成されたガイド凹部５２内で摺動自在に設けられ、前端５９の上部に上挟持爪６０が突設され、前端５９の下部に一対の下挟持爪６１，６１が突設され、記録媒体３７を上挟持爪６０と下挟持爪６１，６１で挟持できるようになっている。押出部材４３は、後部に案内凹部６３が形成され、この案内凹部６３に弾性部材４２が設けられ、この弾性部材４２によって収納口４１側に付勢されている。また、押出部材４３は、両側に係合溝６５，６６が形成されている。
【００３６】
また、上半体５０には、記録媒体３７を弾性部材４２の弾性に抗して収納室４０内に収納した時に、弾性部材４２の弾性を蓄えた状態で押出部材４３の係合溝６５，６６に係合してこの状態を保持する一対の保持部材４５，４５が支軸４７，４７により回動自在に設けられている。
【００３７】
保持部材４５，４５は、バネ等の弾性部材４９，４９によって、押出部材４３側、即ち閉じる方向に付勢されており、記録媒体３７を弾性部材４２の弾性に抗して収納室４０に収納した時に、弾性部材４２の弾性を蓄えた状態の押出部材４３の係合溝６５，６６に保持部材４５，４５の係合突起４８，４８が係合する。
【００３８】
上半体５０には、基台３２の収納口４１側の側面開口６７から先端６９が突出する解除
部材４６が摺動自在に設けられている。解除部材４６は、長板状に形成され、略中央にガイド長穴７０が形成され、このガイド長穴７０が上半体５０の略中央に形成されたガイド突起７１に案内されて、前後方向に摺動自在となっており、さらにガイド突起７１に設けられたバネ等の弾性部材７２によって収納口４１側に付勢されている。
【００３９】
解除部材４６の後部両側には、保持部材４５，４５の係合突起４８，４８が閉じているときに係合する係合凹部７５，７５と、保持部材４５，４５の係合突起４８，４８を弾性部材４９，４９の弾性に抗して外側に開くガイドテーパ部７６，７６が形成されている。
【００４０】
装飾ケース３１は、上記構成を有し、記録媒体３７を収納口４１から収納すると、記録媒体３７が押出部材４３の上挟持片６０と一対の下挟持片６１，６１間に挟持されて押出部材４３の前端５９に当接し、さらに記録媒体３７を押し込んで完全に収納室４０内に挿入すると、押出部材４３が弾性部材４２の弾性に抗して反弾性方向に移動する。押出部材４３は、これの両側に形成された係合溝６５，６６に保持部材４５，４５の係合突起４８，４８が係合し、弾性部材４２の弾性が蓄えられた状態で保持される。
【００４１】
記録媒体３７を取り出すときは、開口６７から突出している解除部材４６の先端６９を押圧操作する。解除部材４６が、弾性部材７２の弾性に抗して反弾性方向（奥壁方向）に移動し、これのガイドテーパ部７６，７６が保持部材４５，４５の係合突起４８，４８を弾性部材４９，４９の弾性に抗して外側に押し開く。
【００４２】
保持部材４５，４５の係合突起４８，４８が外側に開くと、係合突起４８，４８が押出部材４３の係合溝６５，６６から外れ、押出部材４３の保持状態が解除される。そのため、押出部材４３は、弾性部材４２によって記録媒体３７を収納口４１から押し出し、記録媒体３７を取り出すことができる。なお、カバー体３３の上面３４に係合突起３４ａを形成し、基台３２の下面３２ｃに係合突起３４ａと係合する係合凹部を形成することによって、装飾ケース３１同士を位置ずれすることなく積み重ねることができる。
【００４３】
以下、本発明の第３の実施の形態を図面を用いて説明する。図５は、本発明に係る装飾ケースの第３の実施の形態を示す全体斜視図である。
【００４４】
装飾ケース８１は、基台８２と、基台８２の上部に取り付けられるカバー体３３とからなる。基台８２は、装飾体３５を載置する載置部８６が形成されている。カバー体３３は、透過性を有する素材で形成され、基台８２の載置部８６に載置された装飾体３５を覆うように構成されている。基台８２には、記録媒体３７を収納する収納室９０が形成されている。
【００４５】
基台８２は、円盤状に形成され、上面８２ｂ周縁に段凹部８２ａが形成されている。カバー体３３は、透明なプラスチック板によって、下端が開放された円筒状に形成され、基台８２の段凹部８２ａに下端開放部３３ａが嵌合して、基台８２に着脱自在に取り付けられている。
【００４６】
基台８２は、上面８２ｂが装飾体３５を載置する載置部８６を形成する。装飾体３５は、人形、動物形状等に形成され、載置部８６に固定して取り付けられている。この固定は、接着剤、両面テープ、ネジ、係合突起と係合穴の係合等によって行われるが、特にこれらに限定されるものではない。
【００４７】
記録媒体３７は、ＣＤ（コンパクトディスク）、ＦＤ（フロッピーディスク）、ＭＤ（ミニディスク）等である。
【００４８】
基台８２は、上半体９１と下半体９２とからなる。上半体９１と下半体９２は、ヒンジ部９３によって一端でヒンジ連結され、他端が開閉するようになっている。上半体９１と下半体９２の一方又は両方には収納凹部９５が形成され、上半体９１と下半体９２が接合することによって収納凹部９５が収納室９０を構成するようになっている。下半体９２又は上半体９１には、記録媒体３７を弾性で固定する弾性爪９６が突設されている。
【００４９】
さらに具体的に説明する。基台８２は、上半体９１に収納凹部９５が形成され、下半体９２にＣＤ形状の記録媒体３７の係止穴３８を弾性で着脱自在に取り付ける弾性爪９６が突設されている。
【００５０】
上半体９１と下半体９２は、上半体９１に下半体９２を圧入することによって、一体的に閉じられる他、下半体９２の他端に係止爪を形成し、上半体９１の他端に係止爪を係止する係止凹部を形成し、下半体９２の係止爪を上半体９１の係止凹部に係止して、一体的に閉じられるようにしても良い。
【００５１】
装飾ケース８１は、上記構成を有し、記録媒体３７の係止穴３８を下半体９２の弾性爪９６に係止して、記録媒体３７を下半体９２に着脱自在に取り付けることができる。下半体９２を閉じることによって、記録媒体３７が上半体９１の収納室９０内に略水平に収納される。記録媒体３７を取り出すときは、下半体９２を開き、記録媒体３７の係止穴３８を下半体９２の弾性爪９６から外せば良い。
【図面の簡単な説明】
【００５２】
【図１】本発明に係る装飾ケースの第１の実施の形態を示す全体斜視図である。
【図２】図１の使用状態を示す斜視図である。
【図３】本発明に係る装飾ケースの第２の実施の形態を示す全体斜視図である。
【図４】図３の分解斜視図である。
【図５】本発明に係る装飾ケースの第３の実施の形態を示す全体斜視図である。
【符号の説明】
【００５３】
１  装飾ケース
２  基台
２ａ  段凹部
２ｂ  上面
３  カバー体
３ａ  下端開放部
５  装飾体
６  載置部
７  記録媒体
９  収容ケース
１０  収納室
１１  収納口
１２  弾性部材
１３  押出部材
１５  保持部材
１６  解除部材
１７  ガイド板
１９  押出杆
２０  ガイド杆
２１  ガイド突起
２２  先端
２３  支軸
２５  弾性部材
２６  先端
２７  先端
２９  開口
３１  装飾ケース
３２  基台
３２ａ  段凹部
３２ｂ  上面
３２ｃ  下面
３３  カバー体
３３ａ  下端開放部
３４  上面
３４ａ  係合突起
３５  装飾体
３６  載置部
３７  記録媒体
３８  係止穴
４０  収納室
４１  収納口
４２  弾性部材
４３  押出部材
４５  保持部材
４６  解除部材
４７  支軸
４８  係合突起
４９  弾性部材
５０  上半体
５１  下半体
５２  ガイド凹部
５３  接合面
５５  凹部
５６  接合面
５７  凹部
５９  前端
６０  上挟持爪
６１  下挟持爪
６３  案内凹部
６５  係合溝
６６  係合溝
６７  開口
６９  先端
７０  ガイド長穴
７１  ガイド突起
７２  弾性部材
７５  係合凹部
７６  ガイドテーパ部
８１  装飾ケース
８２  基台
８２ａ  段凹部
８２ｂ  上面
８６  載置部
９０  収納室
９１  上半体
９２  下半体
９３  ヒンジ部
９５  収納凹部
９６  弾性爪
【図１】
2004243135.tif 000003
【図２】
2004243135.tif 000004
【図３】
2004243135.tif 000005
【図４】
2004243135.tif 000006
【図５】
2004243135.tif 000007